(57)【特許請求の範囲】
【請求項１】
フレームと、前記フレームに取り付けられる一対のランプフレームと、を具備する液晶モジュールにおいて、 
前記フレームは、底板と、前記底板に接続される上側板と、下側板と、左側板と、右側板と、を有し、前記上側板と前記下側板の各上端は逆Ｕ字状に折り曲げられて縁枠部が形成されると共に、前記上側板と前記下側板には凹部が設けられており、
前記ランプフレームは、天板と、前記天板に接続される前板と、後板と、を有し、前記天板には凸部が設けられており、
一方の前記ランプフレームは、前記フレームの前記左側板の内側に前記後板が当接するように配置され、他方の前記ランプフレームは、前記フレームの前記右側板の内側に前記後板が当接するように配置されて、
前記フレームの前記凹部と前記ランプフレームの前記凸部が各々嵌合することで、前記ランプフレームが前記フレームの内側に倒れることを防止する、液晶モジュール。 
【請求項２】
前記凹部は、前記フレームの前記上側板及び前記下側板の長手方向の両端部に形成され、前記凸部は、前記ランプフレームの長手方向の両端部に形成されていることを特徴とする、請求項１に記載の液晶モジュール。 
【請求項３】
前記凹部は、前記フレームの前記上側板及び前記下側板の前記縁枠部の両端に形成され、前記凸部は、前記ランプフレームの前記天板の両端から突設されていることを特徴とする、請求項２に記載の液晶モジュール。 
【請求項４】
前記ランプフレームは、前記前板の下端に形成される係止脚片と、前記後板に形成される係止爪片と、を有し、
一方の前記ランプフレームは、前記係止脚片が前記フレームの前記底板に形成された係合孔に係止されると共に、前記係止爪片が前記フレームの前記左側板に形成された係合口に上向きに係止され、他方の前記ランプフレームは、前記係止脚片が前記フレームの前記底板に形成された係合孔に係止されると共に、前記係止爪片が前記フレームの前記右側板に形成された係合口に上向きに係止されるものであることを特徴とする、請求項１乃至３のいずれかに記載の液晶モジュール。
【発明の詳細な説明】
【技術分野】
【０００１】
本発明は、テレビ、パソコンその他の電子機器に組み込まれる液晶モジュールに関し、特に、止具を用いないで取付けたランプフレームが倒れないように工夫した液晶モジュールに関する。
【背景技術】
【０００２】
従来の直下ライト方式の液晶モジュールは、フレームの内部に光反射シートを設けて、その上に冷陰極管を配設し、フレームの相対向する側板の内側にランプフレームを設けると共に、冷陰極管の上方に光学シートと液晶パネルを配置して、その上からベゼルで液晶パネルの周縁部を押さえた概略構造となっている。このような液晶モジュールにおいては、通常、ランプフレームを数本のビス等の止具でフレームに取付固定している。
【０００３】
しかしながら、上記の液晶モジュールのように、数本のビスを用いてランプフレームをフレームの相対向する側板の内側に固定すると、このビス固定作業が面倒で時間がかかり、ビス代も嵩むため、組立作業性の低下やコストアップを招くという不都合があった。そこで、ビスなどの止具を使用しないでランプフレームを取付けることができる液晶モジュールの開発に着手した。
【０００４】
ところで、ランプフレームを組み込んだバックライト方式の表示装置用照明装置は公知であり（特許文献１）、また、バックライトに形成した突起をハウジングケースの固定孔に嵌合させてハウジングケースにバックライトを挿入固定した液晶表示装置（特許文献２）や、液晶モジュールを取付た枠型フレームにバックライトとしてＵ字形ランプを保持させた液晶表示装置（特許文献３）や、光源と光源を覆う裏面カバーとが、係止爪と、その係止方向とは直交する方向の位置規制を行うリブとによって組み付けられた液晶表示装置（特許文献４）なども知られている。
【特許文献１】特開２００６−６６３６３号公報
【特許文献２】特開２００２−２５８２８２号公報
【特許文献３】特開２００６−３３０１６２号公報
【特許文献４】特開２００７−８７６５６号公報
【発明の開示】
【発明が解決しようとする課題】
【０００５】
しかしながら、開発に着手した上記の液晶モジュールは、止具を使用しないでランプフレームを取付けるものであるため、ランプフレームの組付作業性は向上するけれども、ランプフレームにガタツキが生じたり、ランプフレームが倒れたりする問題があった。このようにランプフレームがガタついたり、倒れたりすると、ランプフレームと嵌合関係にあるベゼルその他の部材に位置ズレその他の悪影響を及ぼし、光漏れや液晶パネル周囲の無効領域のズレなどの問題が生じるので、対策を講じる必要がある。
【０００６】
一方、前記特許文献１の表示装置用照明装置や前記特許文献２，３，４の液晶表示装置は、ランプフレームのガタや倒れを防止する工夫をしたものではないから、上記の問題の解決には何の役にもたたない。
【０００７】
本発明は上記事情の下になされたもので、その解決しようとする課題は、止具を使用しないでランプフレームを取付けているにも拘わらず、ランプフレームにガタツキが生じたり、ランプフレームが倒れたりすることのない液晶モジュールを提供することにある。
【課題を解決するための手段】
【０００８】
上記課題を解決するため、この発明の第１の局面による液晶モジュールは、フレームと、フレームに取り付けられる一対のランプフレームと、を具備する液晶モジュールにおいて、 フレームは、底板と、底板に接続される上側板と、下側板と、左側板と、右側板と、を有し、上側板と下側板の各上端は逆Ｕ字状に折り曲げられて縁枠部が形成されると共に、上側板と下側板には凹部が設けられており、ランプフレームは、天板と、天板に接続される前板と、後板と、を有し、天板には凸部が設けられており、一方のランプフレームは、フレームの左側板の内側に後板が当接するように配置され、他方のランプフレームは、フレームの右側板の内側に後板が当接するように配置されて、フレームの凹部とランプフレームの凸部が各々嵌合することで、ランプフレームがフレームの内側に倒れることを防止することを特徴とするものである。
【０００９】
上記第１の局面による液晶モジュールにおいて、好ましくは、凹部は、フレームの上側板及び下側板の長手方向の両端部に形成され、凸部は、ランプフレームの長手方向の両端部に形成されていることが望ましい。また、凹部は、フレームの上側板及び下側板の縁枠部の両端に形成され、凸部は、ランプフレームの天板の両端から突設されていることが望ましい。
【００１０】
上記第１の局面による液晶モジュールにおいて、好ましくは、ランプフレームは、前板の下端に形成される係止脚片と、後板に形成される係止爪片と、を有し、一方のランプフレームは、係止脚片がフレームの底板に形成された係合孔に係止されると共に、係止爪片がフレームの左側板に形成された係合口に上向きに係止され、他方のランプフレームは、係止脚片がフレームの底板に形成された係合孔に係止されると共に、係止爪片がフレームの右側板に形成された係合口に上向きに係止されるものであることが望ましい。
【発明の効果】
【００１１】
本発明の液晶モジュールは、ランプフレームの倒れ防止手段を設けているので、ランプフレームが止具を使用しないで取付けられていても、倒れるようなことがなく、また、このような倒れ防止手段でランプフレームが固定されていると、ランプフレームのガタツキも実質的になくなる。従って、ランプフレームと嵌合関係にあるベゼルその他の部材に位置ズレその他の悪影響を及ぼし、光漏れや液晶パネル周囲の無効領域のズレなどを生じるという問題は解決される。
【００１２】
倒れ防止手段としては、種々の手段を採用することが可能であるが、その中でも、ランプフレームの両端を、フレームの相対向する側板を除いた他の側板に、倒れ方向に固定する固定手段を採用した場合は、例えばランプフレームを両側から支えるような場合に比べて、確実にランプフレームの倒れを防止できる利点がある。特に、固定手段が、ランプフレームの両端に形成された凸部と、フレームの上記他の側板に形成された凹部とからなり、この凹部に上記凸部が嵌まり込んでランプフレームの倒れ方向に係合するものであると、構造が簡単で、しかも倒れ防止効果やガタツキ防止効果が大きいという利点がある。そして、上記凸部がランプフレームの天板部の両端から突設され、これに対応して上記凹部が上記フレームの上記他の側板の上端に形成されていると、ランプフレームの倒れを阻止する際に凸部や凹部にかかる負荷がほぼ最小限となるので、凸部や凹部が破損する心配がなくなり、より確実にランプフレームの倒れやガタツキを防止することができる。
【００１３】
また、ランプフレームが、天板部と前板部と後板部を有し、前板部の下端の係止脚片を、これに対応して上記フレームの底板に形成された係合孔に係止させると共に、後板部に形成された係止爪片を、これに対応して上記フレームの相対向する側板に形成された係合口に上向きに係止させて取付けたものであると、このランプフレームはもともとガタツキや倒れを生じにくいものであるから、このランプフレームの天板部に凸部を設けて、フレームの他の側板上端の凹部に上方から嵌め込むと、顕著なガタツキ防止効果と倒れ防止効果を得ることができる。
【発明を実施するための最良の形態】
【００１４】
以下、図面を参照して本発明の具体的な実施形態を詳述する。
【００１５】
図１は本発明の一実施形態に係る液晶モジュールの分解斜視図、図２は同液晶モジュールの横断面図、図３は光学シートとシート押さえ枠と液晶パネルとベゼルを省略した同液晶モジュールの平面図、図４の（Ａ）はランプフレームを斜め前方から見た斜視図、図４の（Ｂ）はランプフレームを斜め後方から見た斜視図、図５は係止爪片の斜視図、図６は係止脚片の斜視図、図７はフレームの側板に形成された係合口の断面図、図８は図３のＡ−Ｂ−Ｃ−Ｄ線に沿った断面図、図９はランプフレームを前方に傾斜させて係止脚片をフレーム底板の係合孔に挿入した状態を示す断面図、図１０はフレームの部分斜視図、図１１はフレームの凹部にランプフレームの凸部を嵌め込んだところを示す部分斜視図、図１２は同液晶モジュールのフレームとランプフレームとシート押さえ枠とベゼルの組立てについての概略説明図である。
【００１６】
この液晶モジュールの全体構成を概説すると、図１，図２に示すように、フレーム１の内部に光反射シート２が設けられ、その上に複数本の冷陰極管３が配設されると共に、左右のランプフレーム４，４がフレーム１の相対向する短辺に形成された左右の側板１ａ，１ｂの内側に止具を使用しないで取付けられている。そして、光学シートとして光拡散シート５とプリズムシート６が重ねられ、これらのシート周縁部がＬ形の２つのシート押さえ枠７，７で押さえられている。更に、このシート押さえ枠７，７の上には液晶パネル（液晶セル）８が載置され、その上から長短４本のベゼル９ａ，９ｂで液晶パネル８の周縁部が固定されて、液晶モジュールが組み立てられている。
【００１７】
上記のフレーム１は、図１に示すように、板金で製作された偏平な長方形の箱形フレームであって、相対向する短辺に設けられた左右の側板１ａ，１ｂには、図１，図１２に示すように、ランプフレーム４の後述する係止爪片４ｈを係止させる方形の係合口（係合部）１ｃが４つずつ形成されており、フレーム１の底板１ｄの左右両端近傍箇所にも、ランプフレーム４の後述する係止脚片４ｄを係止させる方形の係合孔１ｅが２つずつ穿孔されている。そして、底板１ｄの右側端部には、冷陰極管３のソケット３ａを取付ける取付穴１ｆがソケット３ａと同数（４つ）形成されている。
【００１８】
また、フレーム１の相対向する左右の側板１ａ，１ｂを除いた他の側板、即ち、フレーム１の相対向する長辺に設けられた側板１ｇ，１ｈは、その上端が逆Ｕ字状に折り曲げられて縁枠部に形成されており、これらの側板１ｇ，１ｈの縁枠部の長さ方向両端部には、図１，図３，図１０に示すように、本発明の特徴とするランプフレームの倒れ防止手段（固定手段）としての凹部１ｍが１箇所ずつ、合計４箇所形成されている。この凹部１ｍは、ランプフレーム４の後述する倒れ防止手段（固定手段）としての凸部４ｓを嵌め込んで、ランプフレーム４のガタツキや倒れを防止するものであって、側板１ｇ，１ｈの上端の縁枠部の内側エッジ部分を切り欠いて方形に形成されている。また、一方の側板１ｇの上端縁枠部には、光反射シート２の後述するタブ片２ｆを挿入するスリット状の開口部１ｉが形成されている。
【００１９】
光反射シート２は、白色顔料を配合した光反射性の合成樹脂シートの表面（上面）に、紫外線による劣化を防ぐ紫外線劣化防止層を形成したものであって、この紫外線劣化防止層を上側にして図１，図２に示すように逆台形状に折り曲げると共に、相対向する長辺沿いの端縁部２ａ，２ｂをフレーム１の相対向する縁枠部１ｇ，１ｈに載置して、フレーム１に内装されるものである。
【００２０】
この光反射シート２は、図１，図３に示すように、一方の端縁部２ａに偏平なＵ形の切込みを入れることによってタブ片２ｆが形成されており、図２，図３に示すように、このタブ片２ｆをフレーム１の側板１ｇの上端縁枠部に形成されたスリット状開口部１ｉからフレーム１の内側に向かって縁枠部１ｇの下側に挿入、係合させるだけで、精度良く位置決めされてフレーム１に素早く仮固定されるようになっている。
【００２１】
図１，図３に示すように、光反射シート２の相対向する左右の短辺沿いの端縁部２ｃ，２ｄには、ランプフレーム４の後述する係止脚片４ｄを通す凹欠部２ｅが２つずつ形成されており、左側の端縁部２ｃの凹欠部２ｅ，２ｅと右側の端縁部２ｄの凹欠部２ｅ，２ｅとの位置関係は、非線対称の関係となっている。これは、後述するように、左側のランプフレーム４の係止脚片４ｄ，４ｄの相互間隔の方が右側のランプフレーム４の係止脚片４ｄ，４ｄの相互間隔よりも大きいため、これに対応して、光反射シート２の左側端縁部２ｃの凹欠部２ｅ，２ｅの相互間隔を右側端縁部２ｄの凹欠部２ｅ，２ｅの相互間隔よりも大きくしたからである。このように凹欠部の位置関係が左右非線対称の関係になっていると、左右の端縁部２ｃ，２ｄの凹欠部２ｅ，２ｅの位置関係が逆転すれば光反射シート２の表と裏が逆であることがすぐに分かるので、光反射シート２の表面の紫外線劣化防止層を間違って裏側にしたままフレーム１内に取付けるのを確実に防止することができる。
【００２２】
光反射シート２の上方に配設される冷陰極管３は、図１に示すようにＵ形に曲げ加工されており、このＵ形冷陰極管３の両端には、絶縁ゴム製のソケット３ａ，３ａが取付けられている。そして、これらのソケット３ａ，３ａには、コネクタ付きのケーブル３ｂ，３ｂが接続されている。
【００２３】
この冷陰極管３の取付けは、両端部のソケット３ａ，３ａをフレーム１の取付穴１ｆ，１ｆに嵌合固定して、取付穴相互間の引出口からコネクタ付きケーブル３ｂ，３ｂを外部へ引き出す一方、図１，図３，図８，図９に示すように、冷陰極管３の反対側の曲げ加工した部分をランプホルダー３ｃの保持部３ｄで保持させ、このランプホルダー３ｃをフレーム１の底板１ｄに固定することによって行われている。
【００２４】
冷陰極管３のソケット３ａやランプホルダー３ｃを覆う左右のランプフレーム４，４は、白色顔料入りの合成樹脂で射出成形された光反射性の成形品であって、図４の（Ａ）に示すように、天板部４ａから斜め下方へ傾斜する前板部４ｂの下部には冷陰極管３を挿通する４つの凹欠部４ｃが形成されており、この前板部４ｂの下端には、前方へ突き出す一対の係止脚片４ｄ，４ｄが形成されている。  
【００２５】
この係止脚片４ｄ，４ｄの形成される位置は、左右のランプフレーム４，４で異なり、図３に示すように、片側（左側）のランプフレーム４における係止脚片４ｄ，４ｄの相互間隔の方が、反対側（右側）のランプフレーム４における係止脚片４ｄ，４ｄの相互間隔よりも大きくなっている。そのため、係止脚片４ｄ，４ｄを挿入、係止させるフレーム底板１ｄの左端近傍箇所の係合孔１ｆ，１ｆの相互間隔や、光反射シート２の左側端縁部の凹部２ｅ，２ｅの相互間隔も、右端近傍箇所の係合孔１ｆ，１ｆの相互間隔や、右側端縁部の凹部２ｅ，２ｅの相互間隔よりも大きくなっており、図１，図３に示すように、左右のランプフレーム４，４の係止脚片４ｄ，４ｄの位置関係、フレーム１の左右両端近傍箇所の係合孔１ｆ，１ｆの位置関係、光反射シート２の左右端縁部の凹部２ｅ，２ｅの位置関係は、いずれも左右非線対称となっている。
【００２６】
ランプフレーム４の係止脚片４ｄは、図６に示すように、その上面に一段高い矩形状の隆起部４ｅを複数（３つ）形成したもので、この係止脚片４ｄとランプフレームの前板部４ｂとの内角部にはアール４ｆが形成されている。このような係止脚片４ｄは、そのアール４ｆによって付け根部分の強度が高められるため、係止脚片４ｄの付け根部分の折損、破壊を防止することができ、しかも、隆起部４ｅの上面をアール４ｆの影響を受けることなくフレーム底板１ｄの係合孔１ｅの孔縁部に係止させることができる。
【００２７】
図４の（Ｂ），図１２に示すように、ランプフレーム４の垂直な後板部４ｇの下部には、フレーム１の左右の側板１ａ，１ｂに形成された４つの係合口１ｃに側板の内側から上向きに係止するランプフレーム固定用の４つの係止爪片４ｈが形成されている。この係止爪片４ｈは、図５に示すように、ランプフレーム４の後板部４ｇに下方から一対の切込み４ｉ，４ｉを入れてバネ片４ｊを形成し、このバネ片の下端に係止爪４ｋを突設したものであって、係止爪４ｋの上面には一段高い矩形状の隆起部４ｍが形成されており、バネ片４ｊと係止爪４ｋとの内角部にはアール４ｎが設けられている。
【００２８】
このような係止爪片４ｈは、図８に示すように、バネ片４ｊの弾性を利用して係止爪４ｋを係合口１ｃに容易に嵌め込んで上向きに係止させることができる。そして、アール４ｎによって係止爪４ｋの付け根部分の強度が高められるため、係止爪４ｋの付け根部分の折損、破壊を防止することができ、このアール４ｎの影響を受けることなく隆起部４ｍの上面を係合口１ｃに係止させることができる。
【００２９】
上記の係合口１ｃは、図７に示すように、その上側口縁部１ｊをフレーム１の側壁１ａの内側へ凹曲させることが望ましく、このように凹曲させると、上側口縁部１ｊに係止爪片４ｈの係止爪４ｋが根元まで深く係止するため、係合口１ｃから係止爪４ｋが外れるのを確実に防止することができる。
【００３０】
また、ランプフレーム４の後板部４ｇの上部には、図４，図１２に示すように、シート押さえ枠７の係合孔７ａ，７ａに嵌め込まれて下向きに係止するシート押さえ枠固定用の左右の係止爪片４ｐ，４ｐと、ベゼル９ｂの中央の係合孔９ｃに嵌め込まれて下向きに係止するベゼル固定用の中央の係止爪片４ｑが形成されている。これらの係止爪片４ｐ，４ｑはいずれも、切込みを入れて形成したバネ片の上端に係止爪を突設したものであり、ベゼル固定用の係止爪片４ｑの係止爪は、シート押さえ枠固定用の係止爪片４ｐよりも大きく突き出している。
【００３１】
更に、ランプフレーム４の後板部４ｇの内側下端には、図４の（Ａ）（Ｂ），図８，図９に示すように、下方へ突き出す３本の位置決めピン４ｒが形成されており、これらの位置決めピン４ｒは、フレーム１の底板１ｄに形成した位置決め孔１ｋに挿入されるようになっている。ランプフレーム４の中央の位置決めピン４ｒを挿入する位置決め孔１ｋはバーリングの円形孔であるが、両端の位置決めピン４ｒを挿入する位置決め孔１ｋは長円形孔であり、ランプフレーム１の熱伸縮などに対応できるようになっている。
【００３２】
図４に示すように、ランプフレーム４の天板部４ａの両端には、本発明の特徴とする倒れ防止手段（固定手段）としての凸部４ｓ，４ｓが外向きに突設されている。この凸部４ｓは、図３，図１１に示すように、ランプフレーム４を相対向する短辺沿いの左右の側板１ａ，１ｂの内側に取付けたときに、この側板１ａ，１ｂを除く他の側板１ｇ，１ｈの上端縁枠部の両端部に形成された前記凹部１ｍに上方から嵌め込まれて、図１１に矢印で示す倒れ方向に係合固定し、ランプフレーム４のガタツキと倒れを防止するものである。
【００３３】
このようなランプフレーム４は、以下の要領で簡単に取付固定される。即ち、図９に示すように、ランプフレーム４を前方に傾斜させた姿勢で、その係止脚片４ｄを光反射フレーム２の凹欠部２ｅを通してフレーム底板１ｄの係合孔１ｅに上方から挿入し、係合孔１ｅの孔縁部に係止脚片４ｄを引掛けながら、そこを支点としてランプフレーム４を矢印で示すように後方へ回転させ、図８に示すように、係止爪片４ｈのバネ板４ｊの弾性を利用して係止爪４ｋをフレーム側板１ａの係合口１ｃに嵌め込んで上向きに係止させると共に、係止脚片４ｄをフレーム底板１ｄの係合孔１ｅの孔縁部に係止させ、同時にランプフレーム４の天板部４ａの両端から突き出す凸部４ｓを、フレーム１の側壁１ｇ，１ｈの上端の前記凹部１ｍに上方から嵌め込むことによって取付固定される。
【００３４】
このランプフレーム４は、上記のようにビスを用いることなく簡単にフレーム側板１ａの内側に取付固定され、取付固定された状態では、係止脚片４ｄと係止爪片４ｈによってランプフレーム４の上方への移動が規制され、係止脚片４ｄによってランプフレーム４の前方への移動が規制され、フレーム１の側板１ａによってランプフレーム４の後方への移動が規制され、係止脚片４ｄや係止爪片４ｈやフレーム１の縁枠部１ｇ，１ｈによってランプフレームの長さ方向の移動が規制され、更に、前記凹部１ｍに嵌め込まれた天板部両端の凸部４ｓによってランプフレーム４の天板部４ａの倒れ方向への回動も規制されるので、ランプフレーム４のガタツキや倒れは実質的に生じない。
【００３５】
上記のようにランプフレーム４が取付固定されると、その前板部４ｂの下端によって光反射シート２の左右の端縁部２ｃ，２ｄが押さえられると共に、光反射シート２の凹欠部２ｅに挿入されたランプフレーム４の係止脚片４ｄによって光反射シート２の端縁部２ｃ，２ｄの移動が規制されるため、光反射シート２は精度良く位置決めされた状態で固定される。
【００３６】
図２に示すように、フレーム１の縁枠部１ｇ，１ｈに重ねられた光反射シート２の端縁部２ａ，２ｂとランプフレーム４の天板部４ａの上には、光拡散シート５とその上に重ねたプリズムシート６の四周縁が載置され、その上から方形枠状に組み合わされた合成樹脂製のＬ形の２つのシート押さえ枠７，７で押さえられている。この押さえ枠７の短枠部には、図１，図１２に示すように、ランプフレーム４の係止爪片４ｐ，４ｐと係合する係合孔７ａ，７ａが形成されており、この係合孔７ａ，７ａにランプフレーム４の係止爪片４ｐ，４ｐを下向きに係止させることによって、シート押さえ枠７，７が取付けられている。尚、このシート押さえ枠７は、そのコーナー部分に形成された位置決めピン（不図示）をフレーム１のコーナー部分の位置決め孔に挿入することによって位置決めされている。
【００３７】
そして、シート押さえ枠７，７の上には液晶パネル８の周縁部が載置され、その上から長短４本の金属製のベゼル９ａ，９ｂで固定されて、液晶モジュールが組み立てられている。これらのベゼル９ａ，９ｂは方形枠状に組み合わされて、そのコーナー部でフレーム１にネジで固定されており、短いベゼル９ｂは、その中央の係合孔９ｃにランプフレーム４の係止爪片４ｑを下向きに係止させることによって、ベゼル９ｂの中央部の浮きを防止し、隙間が生じないように取付けられている。尚、長いベゼル９ａは、その中央部をネジでフレーム１に固定することによって、隙間が生じないように取付けられている。
【００３８】
以上の説明から理解できるように、本発明の液晶モジュールは、ランプフレーム４の係止脚片４ｄをフレーム底板１ｄの係合孔１ｅに挿入して係止させると共に、ランプフレーム４の係止爪片４ｈをフレーム側板１ａの係合口１ｃに上向きに係止させることによって、止具を使用しないで取付けているにも拘わらず、倒れ防止手段（固定手段）として、ランプフレーム天板部４ａの両端の凸部４ｓ，４ｓをフレーム１の側板１ｇ，１ｈの上端の凹部１ｍ，１ｍに嵌め込んで倒れ方向に係合させているため、ランプフレーム４のガタツキや倒れを充分防止することができる。従って、ランプフレーム４と嵌合関係にあるベゼル９ａ，９ｂその他の部材に位置ズレその他の悪影響を及ぼすことがなくなり、光漏れや液晶パネル周囲の無効領域のズレなどの問題を解決することができる。
【図面の簡単な説明】
【００３９】
【図１】図１は本発明の一実施形態に係る液晶モジュールの分解斜視図である。
【図２】同液晶モジュールの横断面図である。
【図３】光学シートとシート押さえ枠と液晶パネルとベゼルを省略した同液晶モジュールの平面図である。
【図４】（Ａ）はランプフレームを斜め前方から見た斜視図、（Ｂ）はランプフレームを斜め後方から見た斜視図である。
【図５】係止爪片の斜視図である。
【図６】係止脚片の斜視図である。
【図７】フレームの側板に形成された係合口の断面図である。
【図８】図３のＡ−Ｂ−Ｃ−Ｄ線に沿った断面図である。
【図９】ランプフレームを前方に傾斜させて係止脚片をフレーム底板の係合孔に挿入した状態を示す断面図である。
【図１０】フレームの部分斜視図である。
【図１１】フレームの凹部にランプフレームの凸部を嵌め込んだところを示す部分斜視図である。
【図１２】同液晶モジュールのフレームとランプフレームとシート押さえ枠とベゼルの組立てについての概略説明図である。
【符号の説明】
【００４０】
１    フレーム
１ａ，１ｂ  フレームの相対向する側板
１ｃ  係合口
１ｄ  フレームの底板
１ｅ  係合孔
１ｍ  倒れ防止手段としての凹部
２    光反射シート
３    冷陰極管
４    ランプフレーム
４ａ  ランプフレームの天板部
４ｂ  ランプフレームの前板部
４ｄ  係止脚片
４ｇ  ランプフレームの後板部
４ｈ  係止爪片
４ｓ  倒れ防止手段としての凸部
５    光拡散シート（光学シート）
６    プリズムシート（光学シート）
７    シート押さえ枠
８    液晶パネル
９ａ，９ｂ  ベゼル
【図１】
0005067036.tif 000002
【図２】
0005067036.tif 000003
【図３】
0005067036.tif 000004
【図４】
0005067036.tif 000005
【図５】
0005067036.tif 000006
【図６】
0005067036.tif 000007
【図７】
0005067036.tif 000008
【図８】
0005067036.tif 000009
【図９】
0005067036.tif 000010
【図１０】
0005067036.tif 000011
【図１１】
0005067036.tif 000012
【図１２】
0005067036.tif 000013